(57)【要約】【課題】マイクロスイッチ等の検出手段が損傷する虞が少ない表示装置を提供する。【解決手段】表示器２１は、表示光Ｌを発する。反射手段２３は、表示光Ｌを反射させる。駆動手段２６は、反射手段２３を角度移動させる。検出手段３２は、反射手段２３が所定の角度位置にあることを検出する。作動片３１は、反射手段３２または駆動手段２６に設けられ、検出手段３２を作動させる。隔離手段３３は、作動片３１が設けられた反射手段２３（または駆動手段２６）と検出手段３２とを隔離させる。隔離手段３３は、作動片３１が貫通する孔部３３ａを有する。【選択図】  図１
2005017505.tif 000002
【特許請求の範囲】
【請求項１】
表示光を発する表示器と、前記表示光を反射させる反射手段と、前記反射手段を角度移動させる駆動手段と、前記反射手段が所定の角度位置にあることを検出する検出手段と、前記反射手段または前記駆動手段に設けられ前記検出手段を作動させる作動片と、前前記作動片が設けられた前記反射手段または前記駆動手段と前記検出手段とを隔離させる隔離手段と、を有することを特徴とする表示装置。
【請求項２】
前記隔離手段は、前記作動片が貫通する孔部を有することを特徴とする請求項１に記載の表示装置。
【請求項３】
前記検出手段は、マイクロスイッチであることを特徴とする請求項１に記載の表示装置。
【発明の詳細な説明】
【０００１】
【発明の属する技術分野】
本発明は、表示装置に関するものであり、特に、表示器が発する表示光を反射させる反射手段の角度位置を、視点位置に合うように調整する表示装置に関するものである。
【０００２】
【従来の技術】
従来より、ヘッドアップディスプレイ装置が種々提案されており、例えば特許文献１に開示されている。ヘッドアップディスプレイ装置は、車両のフロントガラス１に表示ユニット２から表示光Ｌを投射して虚像Ｖを表示するものである（図６参照）。
【０００３】
【特許文献１】
特開２００２−３６９１０号公報
【０００４】
表示ユニット２は、蛍光表示管等の表示器３と、この表示器３が発した表示光Ｌを反射させる反射鏡４と、この反射鏡４を保持する保持部材５と、反射鏡４及び保持部材５を回動させるモータ６等からなる駆動手段７とをハウジング８に収容したものである（図７参照）。モータ６の回動軸には歯車９が固定されており、モータ６は、歯車９，１０及びカム１１を介して、保持部材５及び反射鏡４を回動させる。歯車１０，カム１１，保持部材５等は、図示しないフレームに組付けられている。カム１１には、後述するリミットスイッチを作動させるストライカー１２が一体に設けられている。
【０００５】
運転者は、図示しない押ボタンスイッチを操作することにより、反射鏡４の角度位置を設定し、表示光Ｌをフロントガラス１に投射する方向を調整することができる。つまり、視点位置が高い運転者Ｄ１や、視点位置が低い運転者Ｄ２に合わせて、反射鏡４の角度位置が調整される。運転者が前記押ボタンスイッチを押し続けてモータ５に過大な負荷が掛からないように、反射鏡４が所定の角度位置まで回動した場合に、ストライカー１２によって、リミットスイッチ１３のレバー１３ａが押圧され、モータ５の回転が停止する。
【０００６】
【発明が解決しようとする課題】
しかしながら、ストライカー１２が一体形成されたカム１１をハウジング８に組付けるときに、ストライカー１２がマイクロスイッチ１３のレバー１３ａに接触して、レバー１３ａが損傷する虞があった。
本発明は、これらの問題に鑑みなされたものであり、マイクロスイッチ等の検出手段が損傷する虞が少ない表示装置を提供するものである。
【０００７】
【課題を解決するための手段】
本発明は、前記課題を解決するため、請求項１に記載したように、表示光を発する表示器と、前記表示光を反射させる反射手段と、前記反射手段を角度移動させる駆動手段と、前記反射手段が所定の角度位置にあることを検出する検出手段と、前記反射手段または前記駆動手段に設けられ前記検出手段を作動させる作動片と、前前記作動片が設けられた前記反射手段または前記駆動手段と前記検出手段とを隔離させる隔離手段と、を有するものである。
【０００８】
また、本発明は、請求項２に記載したように、前記隔離手段は、前記作動片が貫通する孔部を有するものである。
【０００９】
また、本発明は、請求項３に記載したように、前記検出手段は、マイクロスイッチであるものである。
【００１０】
【発明の実施の形態】
以下、添付の図面に基づいて、本発明をヘッドアップディスプレイ装置に適用した一実施形態を説明する。
２０は表示ユニットであり、この表示ユニット２０は車両のダッシュボードに配設されている。表示ユニット２０が投射する表示光Ｌはフロントガラスにより運転者の方向に反射される。車両の運転者は虚像を風景と重畳させて視認することができる。
【００１１】
２１は液晶表示器（表示器）であり、この液晶表示器はＴＦＴ型の液晶表示素子及びバックライト手段からなるものである。２２は回路基板であり、この回路基板２２に液晶表示器２１が搭載されている。２３は反射器（反射手段）であり、この反射器２３は、反射鏡２４及び保持部材２５からなるものである。反射鏡２４は、ポリカーボネート等の樹脂に、アルミニウム等の金属を蒸着させ反射面２４ａを形成したものであり、液晶表示器２１が発した表示光Ｌをフロントガラスに反射させる。反射鏡２４の反射面２４ａは凹面になっており、液晶表示器２１からの表示光Ｌを拡大してフロントガラスに投射することができる。
【００１２】
反射鏡２４は保持部材２５に両面粘着テープにより固定されている。保持部材２５は軸部２５ａを有しており、この軸部２５ａは後述するハウジングに設けられた軸受部に軸支されている。反射鏡２４及び保持部材２５は揺動可能な状態で支持されており、軸部２５ａを中心にして角度移動する。
【００１３】
２６は駆動機構（駆動手段）であり、この駆動機構２６はステッピングモータ２７，歯車２８，歯車２９及びカム３０を有している。駆動機構２６は、反射器２３の角度位置を調整する。歯車２８はステッピングモータ２７の回動軸に固定されており、歯車２９は歯車２８に噛み合わされている。カム３０は歯車２９に固定されており、歯車２９の軸を中心にして回動する。保持部材２５は図示しないコイルバネによりカム３０に押圧されており、カム３０が回動することで保持部材２４と共に反射鏡２４が角度移動する。
【００１４】
３１はストライカーであり、このストライカー３１は保持部材２５と一体形成されている。３２はマイクロスイッチであり、このマイクロスイッチ３２は、反射器２３が原点位置にあるときにストライカー３１によってオンされる。マイクロスイッチ３２は、反射器２３が原点位置にあるか否かを検出するものであり、「リミットスイッチ」と称されることもある。３３は隔壁（隔離手段）であり、この隔壁３３はマイクロスイッチ３２と、反射器２３とを隔離する。
【００１５】
ストライカー３１は略Ｌ字形状となっており、マイクロスイッチ３２のレバー３２ａを押す端部３１ａを有している。隔壁３３には略長円形状の孔部３３ａが形成されており、ストライカー３１は孔部３３ａを貫通している。マイクロスイッチ３２は隔壁３３に固定されている。
【００１６】
３４はハウジングであり、このハウジング３４には、液晶表示器２１，回路基板２２，反射器２３，駆動機構２６等が収容される。３４ａは遮光壁であり、この遮光壁３４ａはハウジング３４と一体に形成されており、太陽光等の外光が液晶表示器２１に入射し虚像が見えにくくなる現象（ウォッシュアウト）を防止している。ハウジング３４には表示光Ｌが通過する透光性カバー３５が配設されている。透光性カバー３５は、アクリル等の透光性樹脂からなるものであり、湾曲形状になっている。
【００１７】
図４は、ヘッドアップディスプレイ装置の電気的構成を示すブロック図である。４１は速度センサであり、この速度センサ４１は車両の速度を検出し、速度信号をマイコン４２に出力する。４３，４４は押ボタンスイッチである。押ボタンスイッチ４３，４４がオンされると、マイコン４２にスイッチ操作信号が出力され、マイコン４２は、図示しないドライバ回路を介して、ステッピングモータ２７に駆動信号を出力し、ステッピングモータ２７の回動軸を回動させる。押ボタンスイッチ４３がオンされると、反射器２３は下側に角度移動し、押ボタンスイッチ４４がオンされると、反射器２３は上側に角度移動する。
【００１８】
４５はメモリースイッチであり、このメモリースイッチ４５がオンされると、スイッチ操作信号がマイコン４２に出力される。メモリースイッチ４５が０．５秒以上オンされ続けられると、マイコン４２は、その時点での反射器２３の角度位置データを後述するＥＥＰＲＯＭに記憶する。つまり、メモリースイッチ４５を１．０秒以上押し続けると、その時点での反射器２３の角度位置（以下、メモリ位置と記す）が記憶される。
また、メモリースイッチ４５がオンされ１．０秒未満でオフされると、マイコン４２は、記憶された角度位置データに基づいて、ステッピングモータ３７に駆動信号を出力する。つまり、メモリースイッチ４５を０．５秒未満オンすると、反射器２３は既に記憶されている角度位置に角度移動する。
【００１９】
マイコン４２は、ＣＰＵ４８，ＲＯＭ４９及びＲＡＭ５０を有しており、速度信号に基づいて所定の演算処理を行い、液晶表示器２１に速度を表示したり、ステッピングモータ２７を駆動させ、反射器２３の角度調整を行う。５１はＥＥＰＲＯＭ等のメモリ部であり、このメモリ部５１には、メモリースイッチ４５を操作することにより記憶された角度位置データが格納されている。この角度位置データは、原点位置からメモリ位置までのステップ数である。
【００２０】
本実施形態によれば、隔壁３３を設けたことにより、保持部材１５を組付けるときに、ストライカー２１がマイクロスイッチ２２に接触して、マイクロスイッチ２２が破損する虞が少ない。
なお、本実施形態のストライカー３１は保持部材２５に一体形成されたものであるが、ストライカー３１は駆動機構２６に設けることも可能であり、例えば、カム３０や歯車２９に固定しても良い。
【００２１】
また、本実施形態は、ストライカー３１が隔壁３３の孔部３３ａを貫通するものであったが、図５に示すように、ストライカー５１が隔壁５３を迂回するような構造であっても良い。また、本実施形態の表示器は、液晶表示器２１であったが、例えば、蛍光表示管，有機ＥＬ表示パネルであっても良い。
【００２２】
また、駆動機構２６はステッピングモータ２７を用いるものであったが、例えばサーボモータを用いても良い。また、検出手段はマイクロスイッチ２２であったが、例えばフォトセンサであっても良い。また、本実施形態はヘッドアップディスプレイであったが、例えば、虚像表示型のコンビネーションメータに適用できることは言うまでもない。
【００２３】
【発明の効果】
本発明は、表示光を発する表示器と、前記表示光を反射させる反射手段と、前記反射手段を角度移動させる駆動手段と、前記反射手段が所定の角度位置にあることを検出する検出手段と、前記反射手段または前記駆動手段に設けられ前記検出手段を作動させる作動片と、前前記作動片が設けられた前記反射手段または前記駆動手段と前記検出手段とを隔離させる隔離手段と、を有するものであり、作動片が設けられた反射手段または駆動手段を組付けるときに、検出手段が破損する虞が少ない。
【図面の簡単な説明】
【図１】本発明の実施形態を示す表示ユニットの断面図。
【図２】同上実施形態を示す要部拡大断面図。
【図３】同上実施形態を示す要部拡大図。
【図４】同上実施形態を示すブロック図。
【図５】本発明の他の実施形態を示す要部拡大断面図。
【図６】従来例を示すヘッドアップディスプレイの概略構成図。
【図７】同上従来例を示す表示ユニットの断面図。
【符号の説明】
２１  液晶表示器（表示器）
２３  反射器（反射手段）
２６  駆動機構（駆動手段）
２７  ステッピングモータ
３２  マイクロスイッチ（検出手段）
３３  隔壁（隔離手段）
【図１】
2005017505.tif 000003
【図２】
2005017505.tif 000004
【図３】
2005017505.tif 000005
【図４】
2005017505.tif 000006
【図５】
2005017505.tif 000007
【図６】
2005017505.tif 000008
【図７】
2005017505.tif 000009